(57)【要約】【課題】選択されたウエッブページをあらわすデータの取得を、容易な操作によって、その内容を視覚的に確認しつつ確実に行うことができ、さらに、当該ウエッブページについての画像表示を行うことができることになるものとする。【解決手段】インターネット１４を介してウエッブページデータを取得するウエッブページ入力手段２１と、取得したウエッブページデータからＵＲＬデータを取得するページ解析手段２２と、ウエッブページデータに表示用処理を施してページ画像データを形成し、それを第１のメモリ手段（ＨＤＤ）に保存するとともに画像表示部１６に供給してウエッブページ画像を得るページ表示用処理手段２３と、ページ画像データに画像縮小処理を施して縮小ページ画像データを形成する画像処理手段２４と、取得したＵＲＬデータを縮小ページ画像データと関連付けて第２のメモリ手段（ＨＤＤ）に保存するデータ保存処理手段２５と、を備える。【選択図】図１
2005234955.tif 000002
【特許請求の範囲】
【請求項１】
情報供給源からインターネットを介してウエッブページデータを取得する第１のステップと、
上記ウエッブページデータからページアドレスデータを取得する第２のステップと、
上記ウエッブページデータに表示用処理を施してページ画像データを形成し、該ページ画像データを第１のメモリ手段に保存するとともに該ページ画像データに基づくウエッブページ画像についての画像表示を行う第３のステップと、
上記ページ画像データに画像縮小処理を施して縮小ページ画像データを形成する第４のステップと、
上記ページアドレスデータを上記縮小ページ画像データと関連付けて第２のメモリ手段に保存する第５のステップと、
を含み、上記第２のメモリ手段から上記縮小ページ画像データを読み出して、該縮小ページ画像データに基づく縮小ウエッブページ画像についての画像表示を行うことができる状態を設定するウエッブページ表示処理方法。
【請求項２】
上記第２のステップと上記第３のステップとが、一方が他方より先に進行される関係もしくは両者が同時に進行される関係とされることを特徴とする請求項１記載のウエッブページ表示処理方法。
【請求項３】
上記第１のメモリ手段及び上記第２のメモリ手段として、共通のメモリ部における互に異なるメモリ領域を使用することを特徴とする請求項１記載のウエッブページ表示処理方法。
【請求項４】
上記第１のステップから上記第５のステップまでを複数回繰り返し、上記第２のメモリ手段に複数のページアドレスデータを各々に対応する縮小ページ画像データと関連付けて保存することを特徴とする請求項１記載のウエッブページ表示処理方法。
【請求項５】
複数のページアドレスデータが各々に対応する縮小ページ画像データと関連付けられてて保存されたメモリ手段から、複数の縮小ページ画像データを読み出す第１のステップと、
上記メモリ手段から読み出された上記複数の縮小ページ画像データに夫々基づく複数の縮小ウエッブページ画像についての画像表示を共通の表示画面上において行う第２のステップと、
を含み、上記複数の縮小ウエッブページ画像のいずれかを選択することにより、選択された縮小ウエッブページ画像をあらわす縮小ページ画像データに関連付けられたページアドレスデータを取得することができる状態を設定するウエッブページ表示処理方法。
【請求項６】
上記複数の縮小ウエッブページ画像のいずれかを選択して、選択された縮小ウエッブページ画像をあらわす縮小ページ画像データに対応するページ画像データを得る第３のステップと、
上記表示画面上において、上記複数の縮小ウエッブページ画像の画像表示に代えて、上記ページ画像データに基づくウエッブページ画像についての画像表示を行う第４のステップと、
を含むことを特徴とする請求項５記載のウエッブページ表示処理方法。
【請求項７】
情報供給源からインターネットを介してウエッブページデータを取得するウエッブページ入力手段と、
上記ウエッブページデータからページアドレスデータを取得するページ解析手段と、
上記ウエッブページデータに表示用処理を施してページ画像データを形成し、該ページ画像データを第１のメモリ手段に保存するとともに画像表示手段に供給して、該画像表示手段に上記ページ画像データに基づくウエッブページ画像についての画像表示を行わせるページ表示用処理手段と、
上記ページ画像データに画像縮小処理を施して縮小ページ画像データを形成する画像処理手段と、
上記ページアドレスデータと上記縮小ページ画像データとを第２のメモリ手段に供給し、上記ページアドレスデータを上記縮小ページ画像データと関連付けて上記第２のメモリ手段に保存するデータ保存処理手段と、
を備えて構成され、上記第２のメモリ手段から上記縮小ページ画像データを読み出して、該縮小ページ画像データに基づく縮小ウエッブページ画像についての画像表示を行うことができる状態を設定するウエッブページ表示処理装置。
【請求項８】
上記第１のメモリ手段及び上記第２のメモリ手段が、共通のメモリ部における互に異なるメモリ領域によって構成されることを特徴とする請求項７記載のウエッブページ表示処理装置。
【請求項９】
上記第２のメモリ手段が、複数のページアドレスデータを各々に対応する縮小ページ画像データと関連付けて保存することを特徴とする請求項７記載のウエッブページ表示処理装置。
【請求項１０】
複数のページアドレスデータが各々に対応する縮小ページ画像データと関連付けられてて保存されたメモリ手段から、複数の縮小ページ画像データを読み出すデータ読出手段と、
該データ読出手段によって上記メモリ手段から読み出された上記複数の縮小ページ画像データを画像表示手段に供給して、該画像表示手段に上記複数の縮小ページ画像データに夫々基づく複数の縮小ウエッブページ画像についての画像表示を表示画面上に行わせる縮小ページ表示用処理手段と、
を備えて構成され、上記複数の縮小ウエッブページ画像のいずれかを選択することにより、選択された縮小ウエッブページ画像をあらわす縮小ページ画像データに関連付けられたページアドレスデータを取得することができる状態を設定するウエッブページ表示処理装置。
【請求項１１】
上記縮小ページ表示用処理手段が、上記複数の縮小ウエッブページ画像のうちの選択されたものをあらわす縮小ページ画像データに対応するページ画像データを得て上記画像表示手段に供給し、該画像表示手段に、上記複数の縮小ウエッブページ画像の画像表示に代えて、上記ページ画像データに基づくウエッブページ画像についての画像表示を表示画面上に行わせることを特徴とする請求項１０記載のウエッブページ表示処理装置。
【発明の詳細な説明】
【技術分野】
【０００１】
本願の特許請求の範囲に記載された発明は、サーバー等と称される情報供給源からインターネットを介してウエッブページデータを取得し、そのウエッブページデータに基づくページ画像についての画像表示を行うとともに、当該ウエッブページデータからページアドレスデータを取得してメモリ手段に保存するウエッブページ表示処理方法及び装置に関する。
【背景技術】
【０００２】
インターネットを介してアクセスされる通常サーバーと称される情報供給源からのウエッブページデータをインターネットを介して取得し、取得されたウエッブページデータに基づくウエッブページをあらわすページ画像を得るとともに、当該ウエッブページについてのページアドレス（以下、ＵＲＬ（Uniform Resource Locator) という。）データを取得して保存し、その後、保存されたＵＲＬデータを用いて所望のウエッブページをあらわすページ画像を得る動作を行う、インターネットに接続されたコンピュータ端末機にあっては、通常、過去においてページ画像を得た複数のウエッブページについての複数のＵＲＬデータが保存される。
【０００３】
このようなインターネットに接続されたコンピュータ端末機において保存される複数のＵＲＬデータは、それらの夫々があらわすＵＲＬが文字列をもって画像表示されるものとされ、例えば、ブックマークと称されるデータ群を形成するものとして、メモリ手段に格納される。ブックマークは、コンピュータ端末機における表示画面上において、例えば、図６において符号ＢＭが付されて示されるように、各ＵＲＬをあらわす文字列に比較的簡単なマークが付されたものが複数個配列されて画像表示されるものとされる。
【０００４】
そして、コンピュータ端末機において、その表示画面上に画像表示されたブックマークにおける、各ＵＲＬをあらわす文字列と比較的簡単なマークとの組合せのうちの一つが、例えば、データ入力手段であるマウスのクリック操作により、所望のものとして選択されると、その組合せにおけるＵＲＬをあらわすＵＲＬデータが取得される。続いて、コンピュータ端末機においては、取得されたＵＲＬデータがあらわすＵＲＬを有したウエッブページについてのインターネットを通じたアクセスが行われて、当該ウエッブページについてのウエッブページデータがインターネットを通じて取得される。それにより、コンピュータ端末機において、新たに取得されたウエッブページデータに基づくウエッブページの画像表示が表示画面上に行われる。
【０００５】
このようにして、ブックマークにおける各ＵＲＬをあらわす文字列と比較的簡単なマークとの組合せのうちの一つが選択されると、それに応じて選択されたウエッブページが表示画面上に画像表示されることになる。従って、ブックマークが使用される場合、表示画面上に新たなウエッブページを画像表示するためには、ブックマークにおける各ＵＲＬをあらわす文字列と比較的簡単なマークとの組合せのうちの一つを選択する操作が要され、所望のウエッブページを、ブックマークとして画像表示された文字列と比較的簡単なマークとの組合せから判別しなければならないことになる。それゆえ、例えば、一回の操作では画像表示を望む所望のウエッブページが確実に得られないという結果をまねく虞がある。
【０００６】
また、上述のブックマークを用いて新たなウエッブページを画像表示する方式とは異なる方式をもって、ウエッブページについての画像表示を行うものも見られる。それらの一つとして、インターネットに接続されたコンピュータ端末機における表示画面上に、複数のウエッブページを同時に画像表示し、表示された各画像における特定の表示部分を、例えば、データ入力手段であるマウスのクリック操作により選択することによって、当該特定の表示部分に対応する新たなウエッブページを表示画面上に画像表示することができるようにしたウエッブページ表示システムが提案されている（例えば、特許文献１参照。）。
【０００７】
しかしながら、このような特許文献１に示されるウエッブページ表示システムにあっては、インターネットに接続されたコンピュータ端末機における表示画面上に同時に表示される複数のウエッブページは、特定のウエッブページとそのウエッブページについての複数のリンクウエッブページというように、一つのウエッブページとそれにリンクされたウエッブページとに限られている。即ち、互いに独立した複数のウエッブページが共通の表示画面上に同時に表示されるというものではなく、それゆえ、表示画面上に表示された複数のウエッブページの画像を用いて所望のウエッブページの画像を表示画面上に得るにあたっての自由度は、極めて制限されたものに過ぎないことになる。
【特許文献１】特許第３０１２５２７号公報（図３及び明細書における図３に関わる説明部分）
【発明の開示】
【発明が解決しようとする課題】
【０００８】
上述よりして、インターネットに接続されたコンピュータ端末機において、一般にサーバー等と称される情報供給源からインターネットを介してウエッブページをあらわすウエッブページデータを取得し、そのウエッブページデータに基づくページ画像についての画像表示を行うに際しては、相互に独立した多数のウエッブページのなかから選択された所望のものをあらわすウエッブページデータを、簡単な操作により、その内容を視覚的に確認しつつ確実に取得できること、が望まれるところとなる。しかしながら、従来にあっては、このような要求に適うもとで、ウエッジページの表示処理を行うことができるシステムは見当たらない。
【０００９】
斯かる点に鑑み、本願の特許請求の範囲に記載された発明は、サーバー等と称される情報供給源によりインターネットを通じて提供される相互に独立した多数のウエッブページのなかからの所望のものの選択、及び、その選択がなされたウエッブページをあらわすウエッブページデータの取得を、容易な操作によって、当該ウエッブページの内容を視覚的に確認しつつ確実に行うことができ、さらに、所望のウエッブページについての画像表示を行うことができることになるウエッブページ表示処理方法及びそれが実施されるウエッブページ表示処理装置を提供する。
【課題を解決するための手段】
【００１０】
本願の特許請求の範囲における請求項１から請求項４までのいずれかに記載された発明に係るウエッブページ表示処理方法は、情報供給源からインターネットを介してウエッブページデータを取得する第１のステップと、取得されたウエッブページデータからＵＲＬデータを取得する第２のステップと、取得されたウエッブページデータに表示用処理を施してページ画像データを形成し、それを第１のメモリ手段に保存するとともにそれに基づくウエッブページ画像についての画像表示を行う第３のステップと、形成されたページ画像データに画像縮小処理を施して縮小ページ画像データを形成する第４のステップと、取得されたＵＲＬデータを形成された縮小ページ画像データと関連付けて第２のメモリ手段に保存する第５のステップとを含み、第２のメモリ手段から縮小ページ画像データを読み出して、それに基づく縮小ウエッブページ画像についての画像表示を行うことができる状態を設定するものとされる。
【００１１】
特に、請求項４に記載された発明に係るウエッブページ表示処理方法にあっては、上述の第１のステップから第５のステップまでが複数回繰り返し行われ、それにより、第２のメモリ手段に複数のＵＲＬデータが各々に対応する縮小ページ画像データと関連付けられて保存される。
【００１２】
また、本願の特許請求の範囲における請求項５または請求項６に記載された発明に係るウエッブページ表示処理方法は、複数のＵＲＬデータが各々に対応する縮小ページ画像データと関連付けられて保存されたメモリ手段から、複数の縮小ページ画像データを読み出す第１のステップと、メモリ手段から読み出された複数の縮小ページ画像データに夫々基づく複数の縮小ウエッブページ画像についての画像表示を共通の表示画面上において行う第２のステップとを含み、複数の縮小ウエッブページ画像のいずれかを選択することにより、選択された縮小ウエッブページ画像をあらわす縮小ページ画像データに関連付けられたＵＲＬデータを取得することができる状態を設定するものとされる。
【００１３】
一方、本願の特許請求の範囲における請求項７から請求項９までのいずれかに記載された発明に係るウエッブページ表示処理装置は、情報供給源からインターネットを介してウエッブページデータを取得するウエッブページ入力手段と、取得されたウエッブページデータからＵＲＬデータを取得するページ解析手段と、取得されたウエッブページデータに表示用処理を施してページ画像データを形成し、それを第１のメモリ手段に保存するとともに画像表示手段に供給して、画像表示手段にそのページ画像データに基づくウエッブページ画像についての画像表示を行わせるページ表示用処理手段と、ページ表示用処理手段により形成されたページ画像データに画像縮小処理を施して縮小ページ画像データを形成する画像処理手段と、ページ解析手段により取得されたＵＲＬデータと画像処理手段により形成された縮小ページ画像データとを第２のメモリ手段に供給し、ページ解析手段により取得されたＵＲＬデータを画像処理手段により形成された縮小ページ画像データと関連付けて第２のメモリ手段に保存するデータ保存処理手段とを備えて構成され、第２のメモリ手段から縮小ページ画像データを読み出して、その縮小ページ画像データに基づく縮小ウエッブページ画像についての画像表示を行うことができる状態を設定するものとされる。
【００１４】
さらに、本願の特許請求の範囲における請求項１０または請求項１１に記載された発明に係るウエッブページ表示処理装置は、複数のＵＲＬデータが各々に対応する縮小ページ画像データと関連付けられてて保存されたメモリ手段から、複数の縮小ページ画像データを読み出すデータ読出手段と、データ読出手段によってメモリ手段から読み出された複数の縮小ページ画像データを画像表示手段に供給して、画像表示手段に複数の縮小ページ画像データに夫々基づく複数の縮小ウエッブページ画像についての画像表示を表示画面上に行わせる縮小ページ表示用処理手段とを備えて構成され、画像表示手段における表示画面上に画像表示された複数の縮小ウエッブページ画像のいずれかを選択することにより、選択された縮小ウエッブページ画像をあらわす縮小ページ画像データに関連付けられたＵＲＬデータを取得することができる状態を設定するものとされる。
【発明の効果】
【００１５】
上述のとおりの本願の特許請求の範囲における請求項１から請求項４までのいずれかに記載された発明に係るウエッブページ表示処理方法、あるいは、請求項７から請求項９までのいずれかに記載された発明に係るウエッブページ表示処理装置によれば、第２のメモリ手段にＵＲＬデータが縮小ページ画像データと関連付けられて保存される。それゆえ、第２のメモリ手段から縮小ページ画像データを読み出して、それに基づく縮小ウエッブページ画像についての画像表示を行い、例えば、複数個が画像表示された縮小ウエッブページ画像のなかから所望のものを視覚的に確認して選択し、それに対応するＵＲＬデータを第２のメモリ手段から取得して、そのＵＲＬデータを有したウエッブページにインターネットを介してアクセスし、当該ウエッブページをあらわすウエッブページデータをインターネットを介して取得することができ、さらには、取得したウエッブページデータに基づくウエッブページについての画像表示を行うことができる。
【００１６】
従って、サーバー等と称される情報供給源によりインターネットを通じて提供される相互に独立した多数のウエッブページのなかからの所望のものの選択、及び、その選択がなされたウエッブページをあらわすウエッブページデータの取得を、容易な操作によって、当該ウエッブページの内容を視覚的に確認しつつ確実に行うことができ、さらには、所望のウエッブページについての画像表示を行うことができることになる。
【００１７】
また、本願の特許請求の範囲における請求項５または請求項６に記載された発明に係るウエッブページ表示処理方法、あるいは、請求項１０または請求項１１に記載された発明に係るウエッブページ表示処理装置によれば、メモリ手段から読み出された複数の縮小ページ画像データに基づく複数の縮小ウエッブページ画像についての画像表示が表示画面上において行われる。それゆえ、表示画面上に画像表示された複数の縮小ウエッブページ画像のなかから所望のものを視覚的に確認して選択し、それに対応するＵＲＬデータをメモリ手段から取得して、そのＵＲＬデータを有したウエッブページにインターネットを介してアクセスし、当該ウエッブページをあらわすウエッブページデータをインターネットを介して取得することができ、さらには、取得したウエッブページデータに基づくウエッブページについての画像表示を行うことができる。
【００１８】
従って、サーバー等と称される情報供給源によりインターネットを通じて提供される相互に独立した多数のウエッブページのなかからの所望のものの選択、及び、その選択がなされたウエッブページをあらわすウエッブページデータの取得を、容易な操作によって、当該ウエッブページの内容を視覚的に確認しつつ確実に行うことができ、さらには、所望のウエッブページについての画像表示を行うことができることになる。
【発明を実施するための最良の形態】
【００１９】
本願の特許請求の範囲に記載された発明を実施するための最良の形態は、以下に述べられる実施例をもって説明される。
【実施例】
【００２０】
図１は、本願の特許請求の範囲における請求項１から請求項４までのいずれか、あるいは、請求項５または請求項６に記載された発明に係るウエッブページ表示処理方法が実施される、本願の特許請求の範囲における請求項７から請求項９までのいずれか、あるいは、請求項１０または請求項１１に記載された発明に係るウエッブページ表示処理装置の一例を、インターネットに接続された状態をもって示す。
【００２１】
図１に示される、本願の特許請求の範囲における請求項１から請求項４までのいずれか、あるいは、請求項５または請求項６に記載された発明に係るウエッブページ表示処理方法が実施される、本願の特許請求の範囲における請求項７から請求項９までのいずれか、あるいは、請求項１０または請求項１１に記載された発明に係るウエッブページ表示処理装置の一例であるウエッブページ表示処理装置１１にあっては、データバスライン１２が設けられており、このデータバスライン１２に接続されたネットワークインターフェース１３が備えられている。ネットワークインターフェース１３は、データ通信網を形成するインターネット１４に接続されており、データバスライン１２を通じて到来するデータのインターネット１４を通じての送信を行うとともに、例えば、インターネット１４に接続されたサーバー等の情報供給源からインターネット１４を通じて送信されるデータを受信して、データバスライン１２を通じて伝送する。
【００２２】
データバスライン１２には、キーボード，マウス等のデータ入力手段を含んだ入力操作部１５，表示画面を備えた画像表示部１６，大容量のメモリ部を形成する情報記録媒体であるハードディスクを内蔵したハードディスクドライブ部（以下、ＨＤＤという。）１７，動作制御部を形成する中央演算処理部（以下、ＣＰＵという。）１８，半導体メモリであるランダム・アクセス・メモリ（以下、ＲＡＭという。）１９、及び、半導体メモリであって予め動作制御プログラムが格納されたリード・オンリー・メモリ（以下、ＲＯＭという。）２０が接続されている。従って、ネットワークインターフェース１３，入力操作部１５，画像表示部１６，ＨＤＤ１７，ＣＰＵ１８，ＲＡＭ１９及びＲＯＭ２０の相互間のデータ伝送は、データバスライン１２を通じて行われることになる。
【００２３】
ＣＰＵ１８は、例えば、ウエッブページ表示処理装置１１の使用者によって行われる入力操作部１５におけるデータ入力手段の操作により、入力操作部１５からデータバスライン１２を通じて供給される指令データに従った制御動作を行う。そして、ＣＰＵ１８は、その制御動作の一環として、入力操作部１５からの指令データに応じて、インターネット１４に接続されたサーバー等の情報供給源がインターネット１４を通じて提供するウエッブページについての表示処理を行う。
【００２４】
ＣＰＵ１８による、入力操作部１５からの指令データに応じたウエッブページについての表示処理は、インターネット１４に接続されたサーバー等の情報供給源がインターネット１４を通じて提供する種々のウエッブページのうちの選択された複数のものの夫々についてのＵＲＬを取得し、それらについての保存を行うＵＲＬ保存動作と、ＵＲＬ保存動作によって保存された複数のＵＲＬを、それらのうちの選択されたものを、それを有するウエッブページをあらわすウエッブページデータの取得及びそれに基づくウエッブページの表示に利用できる状態とするページ表示用動作とをもって行われる。
【００２５】
そして、ＣＰＵ１８は、ＵＲＬ保存動作については、例えば、以下の方法をもって遂行する。
【００２６】
先ず、ＣＰＵ１８に内蔵されたウエッブページ入力手段２１により、インターネット１４に接続されたサーバー等の情報供給源がインターネット１４を通じて提供するウエッブページのうちの、入力操作部１５からの指令データに応じて選択したものをあらわすウエッブページデータを、情報供給源から、インターネット１４を介し、さらに、ネットワークインターフェース１３及びデータバスライン１２を通じて取得する。次に、ＣＰＵ１８に内蔵されたページ解析手段２２により、ウエッブページ入力手段２１により取得されたウエッブページデータについての解析を行い、そのウエッブページデータからそれに含まれるＵＲＬデータを取得する。
【００２７】
また、それとともに、ＣＰＵ１８に内蔵されたページ表示用処理手段２３により、ウエッブページ入力手段２１により取得されたウエッブページデータに表示用処理を施してページ画像データを形成する。さらに、ページ表示用処理手段２３により、それによって形成されたページ画像データを、データバスライン１２を通じてＨＤＤ１７へと送出し、ＨＤＤ１７に内蔵されたハードディスクにおける第１の所定の記録領域、即ち、ハードディスクが形成するメモリ部における第１の所定のメモリ領域（第１のメモリ手段）に保存するとともに、データバスライン１２を通じて画像表示部１６へと送出し、画像表示部１６に、その表示画面上における、当該ページ画像データに基づくウエッブページ画像についての画像表示を行わせる。
【００２８】
続いて、ＣＰＵ１８に内蔵された画像処理手段２４により、ページ表示用処理手段２３によって形成されたページ画像データに画像縮小処理を施して縮小ページ画像データを形成する。この縮小ページ画像データは、例えば、画像表示部１６によるウエッブページ画像についての画像表示に供されるとき、ページ表示用処理手段２３によって形成されたページ画像データに基づいて画像表示されるウエッブページ画像に対して、例えば、縦方向及び横方向の夫々が１／２に縮小されたものとされる、縮小ウエッブページ画像が画像表示されることになるものとされる。
【００２９】
そして、さらに、ＣＰＵ１８に内蔵されたデータ保存処理手段２５により、ページ解析手段２２によって取得されたＵＲＬデータと画像処理手段２４により形成された縮小ページ画像データとを相互に関連付け、それらをデータバスライン１２を通じてＨＤＤ１７へと送出して、ページ解析手段２２によって取得されたＵＲＬデータを画像処理手段２４により形成された縮小ページ画像データと関連付けて、ＨＤＤ１７に内蔵されたハードディスクにおける第２の所定の記録領域、即ち、ハードディスクが形成するメモリ部における第２の所定のメモリ領域（第２のメモリ手段）に保存する。
【００３０】
上述のように行われるウエッブページ入力手段２１によるウエッブページデータを取得する動作，ページ解析手段２２によるＵＲＬデータを取得する動作，ページ表示用処理手段２３によるページ画像データを形成し、形成されたページ画像データをＨＤＤ１７に送出して保存するとともに画像表示部１６に送出してウエッブページ画像についての画像表示を行わせる動作，画像処理手段２４による縮小ページ画像データを形成する動作、及び、データ保存処理手段２５によるＵＲＬデータと縮小ページ画像データとを相互に関連付けてＨＤＤ１７へと送出し、ＵＲＬデータを縮小ページ画像データと関連付けて保存する動作は、その一通りが行われるだけでなく、入力操作部１５からの指令データに応じて、複数回繰り返して行われる状態がとられる。
【００３１】
その結果、その後、ＨＤＤ１７に内蔵されたハードディスクにおける第２の所定の記録領域、即ち、ハードディスクが形成するメモリ部における第２の所定のメモリ領域（第２のメモリ手段）から、そこに保存された一つもしくは複数の縮小ページ画像データを読み出して、データバスライン１２を通じて画像表示部１６へと送出し、画像表示部１６に、その表示画面上における、当該縮小ページ画像データに基づく一つもしくは複数の縮小ウエッブページ画像についての画像表示を行わせることができる状態が設定されることになる。
【００３２】
このようなＣＰＵ１８によるＵＲＬ保存動作が遂行されるにあたり、上述のページ解析手段２２によるＵＲＬデータの取得と、ページ表示用処理手段２３によるページ画像データの形成及び形成されたページ画像データのＨＤＤ１７及び画像表示部１６の夫々への送出とは、いずれか一方が他方より先に進行される関係もしくは両者が同時に進行される関係とされれる。
【００３３】
上述にあっては、ページ表示用処理手段２３によるページ画像データの保存とデータ保存処理手段２５による縮小ページ画像データと関連付けられたＵＲＬデータの保存とが、共通のＨＤＤ１７において行われているが、ページ表示用処理手段２３によるページ画像データの保存とデータ保存処理手段２５による縮小ページ画像データと関連付けられたＵＲＬデータの保存とが、夫々別個に設けられたメモリ手段において行われるようにされてもよい。
【００３４】
また、ＣＰＵ１８は、ページ表示用動作については、上述のウエッブページ入力手段２１によるウエッブページデータを取得する動作，ページ解析手段２２によるＵＲＬデータを取得する動作，ページ表示用処理手段２３によるページ画像データを形成し、形成されたページ画像データをＨＤＤ１７に送出して保存するとともに画像表示部１６に送出してウエッブページ画像についての画像表示を行わせる動作，画像処理手段２４による縮小ページ画像データを形成する動作、及び、データ保存処理手段２５によるＵＲＬデータと縮小ページ画像データとを相互に関連付けてＨＤＤ１７へと送出し、ＵＲＬデータを縮小ページ画像データと関連付けて保存する動作が、複数回繰り返して遂行されて、ＨＤＤ１７に内蔵されたハードディスクにおける第１の所定の記録領域、即ち、ハードディスクが形成するメモリ部における第１の所定のメモリ領域（第１のメモリ手段）に、ページ画像データが複数個保存されるとともに、ＨＤＤ１７に内蔵されたハードディスクにおける第２の所定の記録領域、即ち、ハードディスクが形成するメモリ部における第２の所定のメモリ領域（第２のメモリ手段）に縮小ページ画像データと関連付けられたＵＲＬデータが複数個保存されたもとで、例えば、以下の方法をもって遂行する。
【００３５】
先ず、ＣＰＵ１８に内蔵されたデータ読出手段２６により、複数のＵＲＬデータが各々に対応する縮小ページ画像データと関連付けられて保存されたＨＤＤ１７に内蔵されたハードディスクにおける第２の所定の記録領域、即ち、ハードディスクが形成するメモリ部における第２の所定のメモリ領域（第２のメモリ手段）から、複数の縮小ページ画像データを読み出す。続いて、ＣＰＵ１８に内蔵された縮小ページ表示用処理手段２７により、データ読出手段２６によってＨＤＤ１７に内蔵されたハードディスクにおける第２の所定の記録領域、即ち、ハードディスクが形成するメモリ部における第２の所定のメモリ領域（第２のメモリ手段）から読み出された複数の縮小ページ画像データを、データバスライン１２を通じて画像表示部１６へと送出し、画像表示部１６に、その表示画面上における、当該複数の縮小ページ画像データに夫々基づく複数の縮小ウエッブページ画像についての画像表示を行わせる。
【００３６】
斯かる際における、画像表示部１６の表示画面上において行われる複数の縮小ウエッブページ画像についての画像表示は、例えば、図２に示されるように、４個の縮小ウエッブページ画像Ａ，Ｂ，Ｃ及びＤが、共通の表示画面上に配列配置されるものとされる。ここで４個の縮小ウエッブページ画像Ａ，Ｂ，Ｃ及びＤというのは、あくまで一例に過ぎず、４個以外の複数個の縮小ウエッブページ画像の画像表示が行われ得ること勿論である。
【００３７】
その結果、例えば、入力操作部１５からの指令データに応じて、画像表示部１６の表示画面上に画像表示された複数の縮小ウエッブページ画像のいずれかを選択することにより、選択された縮小ウエッブページ画像をあらわす縮小ページ画像データに関連付けられたＵＲＬデータを、それが保存されたＨＤＤ１７に内蔵されたハードディスクにおける第２の所定の記録領域、即ち、ハードディスクが形成するメモリ部における第２の所定のメモリ領域（第２のメモリ手段）から読み出して取得することができる状態が設定されることになる。
【００３８】
その後、ＣＰＵ１８は、例えば、入力操作部１５からの指令データが、画像表示部１６の表示画面上に画像表示された複数の縮小ウエッブページ画像のいずれかを選択するものとして供給されるとき、それに内蔵されたページ表示用処理手段２３により、画像表示部１６の表示画面上に画像表示された複数の縮小ウエッブページ画像のうちの、入力操作部１５からの指令データにより選択されたものをあらわす縮小ページ画像データに対応するページ画像データを、それが保存されたＨＤＤ１７に内蔵されたハードディスクにおける第１の所定の記録領域、即ち、ハードディスクが形成するメモリ部における第１の所定のメモリ領域（第１のメモリ手段）から読み出して取得する。そして、さらに、ページ表示用処理手段２３により、取得されたページ画像データを、データバスライン１２を通じて画像表示部１６へと送出し、画像表示部１６に、その表示画面上における、複数の縮小ウエッブページ画像の画像表示に代えての、当該ページ画像データに基づくウエッブページ画像についての画像表示を行わせる。
【００３９】
斯かる際、例えば、図２に示される４個の縮小ウエッブページ画像Ａ，Ｂ，Ｃ及びＤのうちの縮小ウエッブページ画像Ａが、入力操作部１５からの指令データにより選択されたとすると、その後、画像表示部１６の表示画面上においては、図３に示されるように、４個の縮小ウエッブページ画像Ａ，Ｂ，Ｃ及びＤに代えて、縮小ウエッブページ画像Ａが拡大されたものに相当する、ページ画像データに基づくウエッブページ画像Ａ’が画像表示される。
【００４０】
さらに、ＣＰＵ１８は、入力操作部１５からの指令データに応じて、ウエッブページ入力手段２１により、複数の縮小ウエッブページ画像のうちの選択されたものをあらわす縮小ページ画像データと関連付けられたＵＲＬデータを、それが保存されたＨＤＤ１７に内蔵されたハードディスクにおける第２の所定の記録領域、即ち、ハードディスクが形成するメモリ部における第２の所定のメモリ領域（第２のメモリ手段）から読み出して取得し、そのＵＲＬデータを有するウエッブページをあらわすウエッブページデータを、インターネット１４に接続されたサーバー等の情報供給源から、インターネット１４を介し、さらに、ネットワークインターフェース１３及びデータバスライン１２を通じて、新たに取得する。そして、ＣＰＵ１８は、続いて、ページ表示用処理手段２３により、ウエッブページ入力手段２１により新たに取得されたウエッブページデータに表示用処理を施してページ画像データを形成し、そのページ画像データを、データバスライン１２を通じて画像表示部１６へと送出し、画像表示部１６に、その表示画面上における、当該ページ画像データに基づく新たなウエッブページ画像についての画像表示を行わせる。
【００４１】
このとき、上述に加えて、画像処理手段２４による、新たに取得されたウエッブページデータに基づくページ画像データについての縮小ページ画像データを形成する動作、及び、データ保存処理手段２５による、ＵＲＬデータと縮小ページ画像データとを相互に関連付けてＨＤＤ１７へと送出し、ＵＲＬデータを縮小ページ画像データと関連付けて保存する動作が行われる状態も、入力操作部１５からの指令データに応じてとられ得る。
【００４２】
図４は、ＣＰＵ１８が、ＵＲＬ保存動作を行うにあたって実行する制御プログラムの一例をあらわすフローチャートを示す。
【００４３】
図４に示されるフローチャートによりあらわされる制御プログラムにあっては、スタート後、ステップ３１において、ＵＲＬ保存動作を指示する入力操作部１５からの指令データが到来したか否かを判断する。その結果、指令データが到来していない場合には、ステップ３１での判断を繰り返し、指令データが到来したときには、ステップ３２において、ウエッブページ入力手段２１により、入力操作部１５からの指令データに応じて選択したウエッブページをあらわすウエッブページデータを取得する。
【００４４】
次に、ステップ３３において、ページ解析手段２２により、ステップ３２で取得されたウエッブページデータからそれに含まれるＵＲＬデータを取得する。続いて、ステップ３４において、ページ表示用処理手段２３により、ステップ３２で取得されたウエッブページデータに表示用処理を施してページ画像データを形成する。さらに、ステップ３５において、ページ表示用処理手段２３により、ステップ３４で形成されたページ画像データを、ＨＤＤ１７へと送出して、ＨＤＤ１７に内蔵されたハードディスクが形成するメモリ部における第１の所定のメモリ領域（第１のメモリ手段）に保存するとともに、画像表示部１６へと送出して画像表示部１６に当該ページ画像データに基づくウエッブページ画像についての画像表示を行わせる。
【００４５】
また、ステップ３６において、画像処理手段２４により、ステップ３４で形成されたページ画像データに画像縮小処理を施して縮小ページ画像データを形成し、ステップ３７に進む。ステップ３７においては、データ保存処理手段２５により、ステップ３３で取得されたＵＲＬデータをステップ３６で形成された縮小ページ画像データと関連付け、それをＨＤＤ１７へと送出し、ＨＤＤ１７に内蔵されたハードディスクが形成するメモリ部における第２の所定のメモリ領域（第２のメモリ手段）に保存する。
【００４６】
その後、ステップ３８において、動作の繰返しを指示する入力操作部１５からの指令データが到来したか否かを判断する。その結果、指令データが到来していない場合には、ステップ３９において、ステップ３７を経た後所定の時間が経過したか否かを判断し、所定の時間が経過していない場合には、ステップ３８に戻り、所定の時間が経過した場合には、ステップ３１に戻る。
【００４７】
一方、ステップ３８での判断の結果、指令データが到来した場合には、ステップ３２に戻り、ステップ３２以降の各ステップを繰り返し実行する。
【００４８】
図５は、ＣＰＵ１８が、ページ表示用動作を行うにあたって実行する制御プログラムの一例をあらわすフローチャートを示す。
【００４９】
図５に示されるフローチャートによりあらわされる制御プログラムにあっては、スタート後、ステップ４１において、ページ表示用動作を指示する入力操作部１５からの指令データが到来したか否かを判断する。その結果、指令データが到来していない場合には、ステップ４１での判断を繰り返し、指令データが到来したときには、ステップ４２において、データ読出手段２６により、ＨＤＤ１７に内蔵されたハードディスクが形成するメモリ部における第２の所定のメモリ領域（第２のメモリ手段）から、複数の縮小ページ画像データを読み出す。続いて、ステップ４３において、縮小ページ表示用処理手段２７により、ステップ４２で読み出された複数の縮小ページ画像データを画像表示部１６へと送出し、画像表示部１６に、複数の縮小ページ画像データに夫々基づく複数の縮小ウエッブページ画像についての画像表示を行わせる。
【００５０】
次に、ステップ４４において、縮小ページ画像を選択する入力操作部１５からの指令データが到来したか否かを判断する。その結果、指令データが到来していない場合には、ステップ４５において、ステップ４３を経た後所定の時間が経過したか否かを判断し、所定の時間が経過していない場合には、ステップ４４に戻り、所定の時間が経過した場合には、ステップ４１に戻る。
【００５１】
一方、ステップ４４での判断の結果、指令データが到来したときには、ステップ４６において、ページ表示用処理手段２３により、画像表示部１６により画像表示された複数の縮小ウエッブページ画像のうちの、入力操作部１５からの指令データにより選択されたものをあらわす縮小ページ画像データに対応するページ画像データを、ＨＤＤ１７に内蔵されたハードディスクが形成するメモリ部における第１の所定のメモリ領域（第１のメモリ手段）から読み出して取得する。さらに、ステップ４７において、ページ表示用処理手段２３により、ステップ４６で取得されたページ画像データを画像表示部１６へと送出し、画像表示部１６に、複数の縮小ウエッブページ画像の画像表示に代えて、ステップ４６において取得したページ画像データに基づくウエッブページ画像についての画像表示を行わせて、ステップ４８に進む。
【００５２】
ステップ４８においては、ステップ４４で選択された縮小ウエッブページ画像をあらわす縮小ページ画像データと関連付けられたＵＲＬデータの取得を指示する入力操作部１５からの指令データが到来したか否かを判断する。その結果、指令データが到来していない場合には、ステップ４９において、ステップ４７を経た後所定の時間が経過したか否かを判断し、所定の時間が経過していない場合には、ステップ４８に戻り、所定の時間が経過した場合には、ステップ４１に戻る。
【００５３】
一方、ステップ４８での判断の結果、指令データが到来した場合には、ステップ５０において、ウエッブページ入力手段２１により、ステップ４４で選択された縮小ウエッブページ画像をあらわす縮小ページ画像データと関連付けられたＵＲＬデータを、ＨＤＤ１７に内蔵されたハードディスクが形成するメモリ部における第２の所定のメモリ領域（第２のメモリ手段）から読み出して取得して、ステップ５１に進む。ステップ５１においては、ステップ５０において取得されたＵＲＬデータを有するウエッブページをあらわすウエッブページデータを新たに取得し、さらに、新たに取得されたウエッブページデータに基づくウエッブページ画像を画像表示部１６において得るための動作を行って、ステップ４１に戻る。
【産業上の利用可能性】
【００５４】
上述のような本願の特許請求の範囲における、請求項１から請求項６までのいずれかに記載された発明に係るウエッブページ表示処理方法及び請求項７から請求項１１までのいずれかに記載された発明に係るウエッブページ表示処理装置は、いずれも、サーバー等と称される情報供給源によりインターネットを通じて提供される相互に独立した多数のウエッブページのなかからの所望のものの選択、及び、その選択がなされたウエッブページをあらわすウエッブページデータの取得を、容易な操作によって、当該ウエッブページの内容を視覚的に確認しつつ確実に行うことができ、さらには、所望のウエッブページについての画像表示を行うことができることになるものとして、広範に利用され得るものである。
【図面の簡単な説明】
【００５５】
【図１】本願の特許請求の範囲における請求項１から請求項４までのいずれか、あるいは、請求項５または請求項６に記載された発明に係るウエッブページ表示処理方法が実施される、本願の特許請求の範囲における請求項７から請求項９までのいずれか、あるいは、請求項１０または請求項１１に記載された発明に係るウエッブページ表示処理装置の一例を、インターネットに接続された状態をもって示すブロック接続図である。
【図２】図１に示されるウエッブページ表示処理装置の一例の動作説明に供される概念図である。
【図３】図１に示されるウエッブページ表示処理装置の一例の動作説明に供される概念図である。
【図４】図１に示されるウエッブページ表示処理装置の一例におけるＣＰＵがＵＲＬ保存動作を行うにあたって実行する制御プログラムの一例をあらわすフローチャートである。
【図５】図１に示されるウエッブページ表示処理装置の一例におけるＣＰＵがページ表示用動作を行うにあたって実行する制御プログラムの一例をあらわすフローチャートである。
【図６】従来提案されているＵＲＬについてのブックマーク方式による表示の説明に供される概念図である。
【符号の説明】
【００５６】
１１・・・ウエッブページ表示処理装置，  １２・・・データバスライン，  １３・・・ネットワークインターフェース，  １４・・・インターネット，  １５・・・入力操作部，  １６・・・画像表示部，  １７・・・ＨＤＤ，  １８・・・ＣＰＵ，  １９・・・ＲＡＭ，  ２０・・・ＲＯＭ，  ２１・・・ウエッブページ入力手段，  ２２・・・ページ解析手段，  ２３・・・ページ表示用処理手段，  ２４・・・画像処理手段，  ２５・・・データ保存処理手段，  ２６・・・データ読出手段，  ２７・・・縮小ページ表示用処理手段
【図１】
2005234955.tif 000003
【図２】
2005234955.tif 000004
【図３】
2005234955.tif 000005
【図４】
2005234955.tif 000006
【図５】
2005234955.tif 000007
【図６】
2005234955.tif 000008